(57)【要約】【課題】動作等に現れない心理状態にある参加者を特定する。【解決手段】取得部１１１は、集計装置４から参加者の生体情報と、その参加者の動作情報とを取得する。解析部１１２は、取得した生体情報から参加者の活性度を特定するための解析を行う。特定部１１３は、解析部１１２による解析の結果に基づいて、参加者の活性度を特定する。第１判定部１１４は、状態ＤＢ１２４を参照し、集会の参加者の活性度が決められた割合で決められた第１条件を満たすか否かを判定する。生成部１１５は、参加者の動作情報と活性度との相関情報を生成する。第２判定部１１６は、状態ＤＢ１２４を参照して、参加者の活性度が上述した割合で第１条件を満たすときに、それらの参加者の相関情報が決められた第２条件を満たすか否かを判定する。通知部１１７は、条件を満たした場合にその条件に対応付けられている状態情報を通知先に通知する。【選択図】図６
2019101872.tif 000002
【特許請求の範囲】
【請求項１】
集会に参加する参加者の生体から得られる生体情報に基づいて前記参加者の活性度を特定する特定部と、
前記参加者の動作を示す動作情報を取得する取得部と、
前記動作情報と前記活性度との相関を示す相関情報を生成する生成部と、
前記相関情報を用いて前記集会の状態を示す状態情報を通知する通知部と、
を有する情報処理装置。
【請求項２】
前記集会に参加する複数の参加者の前記活性度が、決められた割合で決められた第１条件を満たすか否かを判定する第１判定部と、
前記活性度が前記割合で前記第１条件を満たすときに、前記参加者の前記相関情報が決められた第２条件を満たすか否かを判定する第２判定部と、を有し、
前記状態情報は、前記第２判定部の判定結果に応じた情報を含む
ことを特徴とする請求項１に記載の情報処理装置。
【請求項３】
前記生成部は、前記活性度が前記第１条件を満たすときにおける、前記参加者のそれぞれの前記相関情報を生成する
ことを特徴とする請求項２に記載の情報処理装置。
【請求項４】
前記状態情報は、前記相関情報が前記第２条件を満たすときにおける、前記複数の参加者のうち選ばれた２人の参加者の、前記活性度の相関係数を含む
ことを特徴とする請求項２又は３に記載の情報処理装置。
【請求項５】
前記第２判定部は、前記相関情報が複数の前記第２条件をそれぞれ満たすか否かを判定する、
ことを特徴とする請求項２から４のいずれか１項に記載の情報処理装置。
【請求項６】
前記第２条件は、前記複数の参加者の過去の前記相関情報から算出された統計値に応じて定められる
ことを特徴とする請求項２から５のいずれか１項に記載の情報処理装置。
【請求項７】
前記第２条件は、前記参加者それぞれの過去の前記相関情報から算出された統計値に応じて該参加者ごとに定められる
ことを特徴とする請求項２から５のいずれか１項に記載の情報処理装置。
【請求項８】
前記生成部は、前記動作情報に代えて又は加えて前記参加者の周囲の環境を示す環境情報と前記活性度との相関を示す相関情報を生成する
ことを特徴とする請求項１から７のいずれか１項に記載の情報処理装置。
【請求項９】
集会に参加する参加者の生体から得られる生体情報に基づいて前記参加者の活性度を特定する特定部と、
前記参加者の動作を示す動作情報を取得する取得部と、
前記集会に参加する複数の参加者の前記動作情報が決められた第３条件を満たすか否かを判定する第１判定部と、
前記動作情報が前記第３条件を満たすときに、前記参加者の前記活性度が決められた第４条件を満たすか否かを判定する第２判定部と、
前記第２判定部の判定結果を用いて、前記集会の状態を示す状態情報を通知する通知部と、
を有する情報処理装置。
【請求項１０】
前記動作情報と前記活性度との相関を示す相関情報を生成する生成部、を有し、
前記第２判定部は、前記相関情報が前記第４条件を満たすか否かを判定する
ことを特徴とする請求項９に記載の情報処理装置。
【請求項１１】
コンピュータを、
集会に参加する参加者の生体から得られる生体情報に基づいて前記参加者の活性度を特定する特定部と、
前記参加者の動作を示す動作情報を取得する取得部と、
前記動作情報と前記活性度との相関を示す相関情報を生成する生成部と、
前記相関情報を用いて前記集会の状態を示す状態情報を通知する通知部、
として機能させるためのプログラム。
【請求項１２】
コンピュータを、
集会に参加する参加者の生体から得られる生体情報に基づいて前記参加者の活性度を特定する特定部と、
前記参加者の動作を示す動作情報を取得する取得部と、
前記集会に参加する複数の参加者の前記動作情報が決められた第３条件を満たすか否かを判定する第１判定部と、
前記動作情報が前記第３条件を満たすときに、前記参加者の前記活性度が決められた第４条件を満たすか否かを判定する第２判定部と、
前記第２判定部の判定結果を用いて、前記集会の状態を示す状態情報を通知する通知部、
として機能させるためのプログラム。
【発明の詳細な説明】
【技術分野】
【０００１】
本発明は、情報処理装置、及びプログラムに関する。
【背景技術】
【０００２】
会議等の集会に参加する参加者の中には、外見から心理状態がわかりにくい者がいる場合がある。特に、遠隔地にいる参加者どうしが通信回線を介して集会をする通信システム等では、カメラやマイクロフォン等で捉えられた限られた情報を用いるため、顔を合わせたコミュニケーションをする集会に比べ、遠隔地にいる参加者の様子が把握し難い。そこで、各参加者の生体から取得した生体情報を集会の運営に利用する技術が開発されている。
【０００３】
特許文献１には、個人生産性と相関がある生体情報を計測する生体計測部と、複数の会議参加者に会議の全体生産性を向上させる刺激を付与する刺激付与部を有する会議システム用プログラムが開示されている。
【先行技術文献】
【特許文献】
【０００４】
【特許文献１】特開２０１６−９１４９０号公報
【発明の概要】
【発明が解決しようとする課題】
【０００５】
しかし、参加者の活性度はその参加者の動作に影響を受ける場合があり、その影響を考慮しないと集会の進行を誤る場合がある。例えば、参加者の多くが拍手をするといった、一見して相互理解が深まっているように見える状況でも、実際には彼らが自らの動作に影響を受けているために活性度も上昇して見えるケースがある。
【０００６】
また、特に頷いたり拍手をしたりといった、外見から明確にわかる動作がない集会でも、集会の参加者どうしが高度に集中し、相互に理解し合っている状態がある。このような沈黙下における相互理解の状態の重要性は、しばしば議長やファシリテーター等、その集会の進行役に見落とされがちである。
【０００７】
本発明は、動作等に現れない心理状態にある参加者を特定することを目的とする。
【課題を解決するための手段】
【０００８】
本発明の請求項１に係る情報処理装置は、集会に参加する参加者の生体から得られる生体情報に基づいて前記参加者の活性度を特定する特定部と、前記参加者の動作を示す動作情報を取得する取得部と、前記動作情報と前記活性度との相関を示す相関情報を生成する生成部と、前記相関情報を用いて前記集会の状態を示す状態情報を通知する通知部と、を有する情報処理装置である。
【０００９】
本発明の請求項２に係る情報処理装置は、請求項１に記載の態様において、前記集会に参加する複数の参加者の前記活性度が、決められた割合で決められた第１条件を満たすか否かを判定する第１判定部と、前記活性度が前記割合で前記第１条件を満たすときに、前記参加者の前記相関情報が決められた第２条件を満たすか否かを判定する第２判定部と、を有し、前記状態情報は、前記第２判定部の判定結果に応じた情報を含むことを特徴とする情報処理装置である。
【００１０】
本発明の請求項３に係る情報処理装置は、請求項２に記載の態様において、前記生成部は、前記活性度が前記第１条件を満たすときにおける、前記参加者のそれぞれの前記相関情報を生成することを特徴とする情報処理装置である。
【００１１】
本発明の請求項４に係る情報処理装置は、請求項２又は３に記載の態様において、前記状態情報は、前記相関情報が前記第２条件を満たすときにおける、前記複数の参加者のうち選ばれた２人の参加者の、前記活性度の相関係数を含むことを特徴とする情報処理装置である。
【００１２】
本発明の請求項５に係る情報処理装置は、請求項２から４のいずれか１項に記載の態様において、前記第２判定部は、前記相関情報が複数の前記第２条件をそれぞれ満たすか否かを判定する、ことを特徴とする情報処理装置である。
【００１３】
本発明の請求項６に係る情報処理装置は、請求項２から５のいずれか１項に記載の態様において、前記第２条件は、前記複数の参加者の過去の前記相関情報から算出された統計値に応じて定められることを特徴とする情報処理装置である。
【００１４】
本発明の請求項７に係る情報処理装置は、請求項２から５のいずれか１項に記載の態様において、前記第２条件は、前記参加者それぞれの過去の前記相関情報から算出された統計値に応じて該参加者ごとに定められることを特徴とする情報処理装置である。
【００１５】
本発明の請求項８に係る情報処理装置は、請求項１から７のいずれか１項に記載の態様において、前記生成部は、前記動作情報に代えて又は加えて前記参加者の周囲の環境を示す環境情報と前記活性度との相関を示す相関情報を生成することを特徴とする情報処理装置である。
【００１６】
本発明の請求項９に係る情報処理装置は、集会に参加する参加者の生体から得られる生体情報に基づいて前記参加者の活性度を特定する特定部と、前記参加者の動作を示す動作情報を取得する取得部と、前記集会に参加する複数の参加者の前記動作情報が決められた第３条件を満たすか否かを判定する第１判定部と、前記動作情報が前記第３条件を満たすときに、前記参加者の前記活性度が決められた第４条件を満たすか否かを判定する第２判定部と、前記第２判定部の判定結果を用いて、前記集会の状態を示す状態情報を通知する通知部と、を有する情報処理装置である。
【００１７】
本発明の請求項１０に係る情報処理装置は、請求項９に記載の態様において、前記動作情報と前記活性度との相関を示す相関情報を生成する生成部、を有し、前記第２判定部は、前記相関情報が前記第４条件を満たすか否かを判定することを特徴とする情報処理装置である。
【００１８】
本発明の請求項１１に係るプログラムは、コンピュータを、集会に参加する参加者の生体から得られる生体情報に基づいて前記参加者の活性度を特定する特定部と、前記参加者の動作を示す動作情報を取得する取得部と、前記動作情報と前記活性度との相関を示す相関情報を生成する生成部と、前記相関情報を用いて前記集会の状態を示す状態情報を通知する通知部、として機能させるためのプログラムである。
【００１９】
本発明の請求項１２に係るプログラムは、コンピュータを、集会に参加する参加者の生体から得られる生体情報に基づいて前記参加者の活性度を特定する特定部と、前記参加者の動作を示す動作情報を取得する取得部と、前記集会に参加する複数の参加者の前記動作情報が決められた第３条件を満たすか否かを判定する第１判定部と、前記動作情報が前記第３条件を満たすときに、前記参加者の前記活性度が決められた第４条件を満たすか否かを判定する第２判定部と、前記第２判定部の判定結果を用いて、前記集会の状態を示す状態情報を通知する通知部、として機能させるためのプログラムである。
【発明の効果】
【００２０】
請求項１、１１、１２に係る発明によれば、動作等に現れない心理状態にある参加者が特定されて参加者どうしの相互理解が深まる。
請求項２に係る発明によれば、決められた割合で活性度が第１条件を満たしている場合が、参加者それぞれの活性度と動作情報との相関に応じて区別される。
請求項３に係る発明によれば、全ての場合に相関情報を生成する場合に比べて、負荷が軽減される。
請求項４に係る発明によれば、例えば集会の参加者どうしが相互に理解している程度が把握される。
請求項５に係る発明によれば、例えば自身の動作につられて活性度が上昇した可能性が指摘される。
請求項６に係る発明によれば、過去の相関情報に対応した条件が定められる。
請求項７に係る発明によれば、相関情報を評価する条件について個人差が相殺される。
請求項８に係る発明によれば、参加者の周囲の環境による活性度への影響が把握される。
請求項９に係る発明によれば、例えば動作だけ他の参加者に合わせているが活性度が上昇していない参加者が特定される。
請求項１０に係る発明によれば、例えば動作だけ他の参加者に合わせているが動作量と活性度とに相関がない参加者が特定される。
【図面の簡単な説明】
【００２１】
【図１】本実施形態に係る情報処理システム９の構成を示す図。
【図２】集計装置４の構成の一例を示す図。
【図３】端末２の構成の一例を示す図。
【図４】サーバ装置１の構成を示す図。
【図５】記憶部１２が記憶するデータベースを示す図。
【図６】サーバ装置１の機能的構成を示す図。
【図７】サーバ装置１が活性度を特定する動作の流れを示すフロー図。
【図８】サーバ装置１が相関係数を生成する動作の流れを示すフロー図。
【図９】サーバ装置１が集会の状態情報を通知する動作の流れを示すフロー図。
【図１０】参加者の活性度と動作量の経時変化の例を示す図。
【図１１】通知される状態情報を説明するための図。
【図１２】変形例においてサーバ装置１が集会の状態情報を通知する動作の流れを示すフロー図。
【図１３】変形例においてサーバ装置１が集会の状態情報を通知する動作の流れを示すフロー図。
【図１４】変形例における参加者の活性度と動作量の経時変化の例を示す図。
【図１５】変形例において通知される状態情報を説明するための図。
【発明を実施するための形態】
【００２２】
＜実施形態＞
＜情報処理システムの全体構成＞
図１は、本実施形態に係る情報処理システム９の構成を示す図である。情報処理システム９は、サーバ装置１と、端末２と、集計装置４と、これらを通信可能に接続する通信回線３とを有する。また、情報処理システム９は、測定装置５と、観測装置６とを有する。図１に示す情報処理システム９において、測定装置５及び観測装置６は、集計装置４に接続される。なお、情報処理システム９は、集会において参加者どうしが互いの姿や声を確認するために、撮像装置又は収音装置を有してもよい。
【００２３】
情報処理システム９は、サーバ装置１、及び通信回線３のそれぞれを複数有してもよい。またこの実施形態において、通信回線３は複数の会場を繋ぐものであり、端末２、集計装置４、測定装置５、及び観測装置６は、会場ごとにそれぞれ設けられるが、説明を簡素にするため図１ではいずれも１つを記載する。
【００２４】
サーバ装置１は、複数の会場を繋いで開催される集会において、活性度と動作情報に応じて集会の状態を示す情報（状態情報）を提供する情報処理装置である。
【００２５】
ここで「集会」とは、複数の会場を通信回線で繋ぎ、各会場に来場している参加者どうしに対話やジェスチャー等のコミュニケーションを行わせるものであり、例えば会議、討論会、勉強会、懇親会、多人数参加型のゲーム等である。
【００２６】
端末２は、集会の参加者又は進行役等の情報処理システム９の利用者に、参加者の情報を伝える端末装置である。
通信回線３は、サーバ装置１と端末２及び集計装置４を通信可能に接続する回線であり、例えばインターネット等である。
【００２７】
集計装置４は、例えば各会場にそれぞれ少なくとも１台が設けられており、その会場に来場して集会に参加する参加者Ｕの情報を集計する装置である。集計装置４は、測定装置５、及び観測装置６と接続し、これらがそれぞれ提供する情報を集計してサーバ装置１に送る。
【００２８】
なお、図１において集計装置４は、それぞれ１台の測定装置５及び観測装置６と接続しているが、これらのいずれかについては複数台と接続していてもよい。
【００２９】
測定装置５は、参加者Ｕの心電波形、脈波、心音等、参加者の生体から得られる情報（以下、生体情報という）を測定する装置である。測定装置５は、例えば参加者Ｕの皮膚に接触させる複数の電極を有し、電極間のインピーダンスを計測することによって心電波形を測定する。
【００３０】
観測装置６は、参加者Ｕの頭や手足等に取付けられた加速度センサ等により、参加者Ｕの動作の量（動作量）や、動作の方向、動作する部位等、動作に関する情報（動作情報）を観測する装置である。観測装置６は、動作する部位ごとにそれぞれの動作量を観測してもよいし、例えば参加者の胴体の動きに伴って心臓の位置が移動した場合に、その移動方向のうち、重力に沿った成分を分離して動作量として観測してもよい。
【００３１】
＜集計装置の構成＞
図２は、集計装置４の構成の一例を示す図である。集計装置４は、制御部４１、記憶部４２、通信部４３、表示部４４、操作部４５、及び接続部４６を有する。
【００３２】
制御部４１は、ＣＰＵ（Central Processing Unit）、ＲＯＭ（Read Only Memory）、ＲＡＭ（Random Access Memory）を有し、ＣＰＵがＲＯＭ及び記憶部４２に記憶されているコンピュータプログラム（以下、単にプログラムという）を読み出して実行することにより集計装置４の各部を制御する。
【００３３】
通信部４３は、有線又は無線により通信回線３に接続する通信回路である。集計装置４は、通信部４３により通信回線３に接続されたサーバ装置１と情報をやり取りする。
【００３４】
操作部４５は、各種の指示をするための操作ボタン、キーボード、タッチパネル等の操作子を備えており、利用者による操作を受付けてその操作内容に応じた信号を制御部４１に送る。
【００３５】
表示部４４は、液晶ディスプレイ等の表示画面を有しており、制御部４１の制御の下、画像を表示する。表示画面の上には、操作部４５の透明のタッチパネルが重ねて配置されてもよい。
【００３６】
なお、集計装置４は、操作部４５又は表示部４４を有していなくてもよい。
【００３７】
記憶部４２は、ソリッドステートドライブ、ハードディスクドライブ等の大容量の記憶手段であり、制御部４１のＣＰＵに読み込まれる各種のプログラム、データ等を記憶する。
【００３８】
接続部４６は、各種の情報を供給する装置と接続するインタフェースである。図２に示す接続部４６は、測定装置５及び観測装置６と接続する。また、接続部４６は、図示しない撮像装置や収音装置と接続して、これらにより生成されるデータを制御部４１に供給してもよい。
【００３９】
接続部４６は、測定装置５から参加者Ｕの心電波形等の生体情報を取得し、観測装置６から参加者Ｕの動作情報を取得する。
【００４０】
接続部４６で取得された各種の情報は、制御部４１に供給され、制御部４１の制御下で時刻及び参加者Ｕと関連付けられ、通信部４３及び通信回線３を介してサーバ装置１に送信される。
【００４１】
＜端末の構成＞
図３は、端末２の構成の一例を示す図である。端末２は、制御部２１、記憶部２２、通信部２３、表示部２４、操作部２５、及び出力部２６を有する。
【００４２】
制御部２１は、ＣＰＵ、ＲＯＭ、ＲＡＭを有し、ＣＰＵがＲＯＭ及び記憶部２２に記憶されているプログラムを読み出して実行することにより端末２の各部を制御する。
【００４３】
通信部２３は、有線又は無線により通信回線３に接続する通信回路である。端末２は、通信部２３により通信回線３に接続されたサーバ装置１と情報をやり取りする。
【００４４】
操作部２５は、各種の指示をするための操作ボタン、キーボード、タッチパネル等の操作子を備えており、利用者による操作を受付けてその操作内容に応じた信号を制御部２１に送る。なお、端末２は操作部２５を有しなくてもよい。
【００４５】
表示部２４は、液晶ディスプレイ等の表示画面を有しており、制御部２１の制御の下、画像を表示する。表示画面の上には、操作部２５の透明のタッチパネルが重ねて配置されてもよい。なお、端末２は表示部２４を有しなくてもよい。
【００４６】
記憶部２２は、ソリッドステートドライブ、ハードディスクドライブ等の大容量の記憶手段であり、制御部２１のＣＰＵに読み込まれる各種のプログラム、データ等を記憶する。
【００４７】
出力部２６は、制御部２１の制御の下、利用者の各種の感覚（聴覚、触覚等）により感知される情報を出力するデバイスである。出力部２６は、例えば、音データに示される音を放出するスピーカや、利用者の身体に接して振動を伝える振動発生機等である。
【００４８】
なお、出力部２６が振動発生機である場合、端末２は、例えば、映像が映し出されたスクリーン上の位置を指し示すポインター等であってもよい。この場合、出力部２６が振動することにより、端末２を手に持った利用者に情報が伝わる。
【００４９】
＜サーバ装置の構成＞
図４は、サーバ装置１の構成を示す図である。サーバ装置１は、制御部１１、記憶部１２、及び通信部１３を有する。
【００５０】
制御部１１は、ＣＰＵ、ＲＯＭ、ＲＡＭを有し、ＣＰＵがＲＯＭ及び記憶部１２に記憶されているプログラムを読み出して実行することによりサーバ装置１の各部を制御する。
【００５１】
通信部１３は、有線又は無線により通信回線３に接続する通信回路である。サーバ装置１は、通信部１３により通信回線３に接続された端末２及び集計装置４と情報をやり取りする。
【００５２】
記憶部１２は、ハードディスクドライブ等の大容量の記憶手段であり、制御部１１のＣＰＵに読み込まれる各種のプログラムを記憶する。
【００５３】
また、記憶部１２は、参加者ＤＢ１２１、集会ＤＢ１２２、履歴ＤＢ１２３、及び状態ＤＢ１２４を記憶する。
【００５４】
図５は、記憶部１２が記憶するデータベースを示す図である。参加者ＤＢ１２１は、集会に参加する参加者の情報を記憶するデータベースである。図５（ａ）に示す参加者ＤＢ１２１は、参加者を識別する識別情報である参加者ＩＤと、その参加者に固有の情報である固有情報とを対応付けて記憶する。
【００５５】
参加者に対応付けられた固有情報は、例えば、その参加者の活性度や動作量を正規化するために用いられる情報や参加者を認識させるための情報等である。ここでいう活性度や動作量を「正規化する」とは、その活性度や動作量を、参加者について過去に特定されたそれらの最大値や最小値等を用いた比率等で表す処理である。これにより、それらの数値の個人差が相殺される。また、参加者を認識させるための情報とは、その情報が端末２により提示されることでその参加者の存在が認識されるものであり、例えば、その参加者の氏名、似顔絵、アイコン等である。
【００５６】
集会ＤＢ１２２は、集会に参加する参加者を記憶するデータベースである。図５（ｂ）に示す集会ＤＢ１２２は、集会リスト１２２１と、会場リスト１２２２とを有する。
【００５７】
集会リスト１２２１は、集会の識別情報である集会ＩＤのリストである。会場リスト１２２２は、集会の参加者を示す参加者ＩＤと、その参加者が実際に身を運んでいる会場の識別情報である会場ＩＤとを集会ＩＤごとに対応付けて記憶する。
【００５８】
履歴ＤＢ１２３は、集会の参加者の活性度及び動作情報がどのように変化したかを記憶するデータベースである。図５（ｃ）に示す履歴ＤＢ１２３は、参加者リスト１２３１と、履歴リスト１２３２とを有する。参加者リスト１２３１は、参加者ＩＤのリストである。
【００５９】
履歴リスト１２３２は、参加者リスト１２３１に記述された参加者ＩＤごとに、その参加者ＩＤで識別される参加者の活性度及び動作情報の経時変化を記憶するリストである。履歴リスト１２３２は、時刻ごとに、その時刻に測定、観測、又は特定された参加者の活性度及び動作情報を対応付けて記憶する。すなわち、図５（ｃ）に示す履歴リスト１２３２は、参加者について特定された活性度と、その活性度が特定されたときのその参加者の動作情報との組の履歴を記憶する。
【００６０】
状態ＤＢ１２４は、活性度又は動作情報に関する条件と、それらの条件を満たしたときにおける集会の状態を示す情報（状態情報）と、その状態情報を通知すべき通知先の識別情報である通知先ＩＤとを対応付けて記憶するデータベースである。通知先ＩＤにより識別される通知先は１つであってもよいし、複数であってもよい。また、条件の結果、例えば、活性度や動作量が集会の目標と乖離しているといったネガティブな状態情報が通知される場合には、ポジティブな状態情報が通知される場合と異なる態様で通知されてもよい。この通知の態様とは、例えば参加者全員に向けてではなく議長だけに向けて通知する等である。
【００６１】
＜サーバ装置の機能的構成＞
図６は、サーバ装置１の機能的構成を示す図である。サーバ装置１の制御部１１は、記憶部１２に記憶されているプログラムを読み出して実行することにより、取得部１１１、解析部１１２、特定部１１３、第１判定部１１４、生成部１１５、第２判定部１１６、及び通知部１１７として機能する。なお、図６において、通信回線３及び通信部１３を省く。
【００６２】
取得部１１１は、集計装置４から参加者Ｕの生体情報と、その参加者Ｕの動作情報とを取得する。ここでこの生体情報は、参加者Ｕに取付けられた測定装置５の電極により測定され集計装置４によってサーバ装置１に送られた心電波形である。また、参加者Ｕの動作情報は、観測装置６により観測され集計装置４によってサーバ装置１に送られた情報であり、参加者の動作量を含む。
【００６３】
解析部１１２は、取得した生体情報から参加者Ｕの活性度を特定するための解析を行う。解析部１１２は、例えば取得した生体情報である心電波形を周波数解析し、ＶＬＦ（Very Low Frequency）、ＬＦ（Low Frequency）、ＨＦ（Hi Frequency）成分等、心拍変動の周波数成分を求める。
【００６４】
解析部１１２が行う解析には、高速フーリエ変換、不等間隔のフーリエ級数展開、ウェーブレット変換等が用いられる。また、解析部１１２は、Ｒ−Ｒ間隔が等間隔になるように例えば三次のスプライン補間を用いて心電波形の時系列を変換してもよい。また、取得部１１１が参加者の脈波や心音等、心電波形以外の生体情報を取得する場合、解析部１１２は、その生体情報を解析すればよい。
【００６５】
ＬＦとは、低周波を示す語であり、メイヤー波と呼ばれる１０秒程度の周期の血圧変化を信号源とする変動波（血圧変動）、又はその周波数領域のパワースペクトルの合計量（積分値）である。ＬＦの周波数領域は、例えば、０．０５Ｈｚ以上０．１５Ｈｚ未満である。
【００６６】
ＨＦとは、高周波を示す語であり、３秒から４秒程度の周期を持つ呼吸を信号源とする変動波（呼吸変動）、又はその周波数領域のパワースペクトルの合計量（積分値）である。ＨＦの周波数領域は、例えば０．１５Ｈｚ以上０．４０Ｈｚ未満である。
【００６７】
自律神経は、交感神経と副交感神経とに分類される。交感神経が興奮するとノルアドレナリンが放出され、洞房結節にある細胞のβ受容体がノルアドレナリンを受け取ることでその細胞内に一連の化学反応が始まり心拍数が上昇する。
【００６８】
副交感神経が興奮するとアセチルコリンが放出され、洞房結節の細胞のムスカリン受容体がアセチルコリンを受け取ることでその細胞内に化学反応が始まり心拍数が下降する。
【００６９】
交感神経及び副交感神経の化学反応は、いずれにも化学物質の再利用ループの仕組みがあり、反応に利用される材料がリサイクルされて元の状態に戻るようになっている。この元の状態に戻るまでの反応時間が、交感神経と副交感神経とで異なるため、それぞれにおいて伝達された信号への応答速度が異なる。
【００７０】
例えば、ノルアドレナリンとβ受容体とが関係する交感神経の化学反応は６秒程度の周期より短い変化に応答することが難しい。そのため、交感神経では、周期が３秒から４秒程度である呼吸変動を伝えることが難しい。
【００７１】
一方、アセチルコリンとムスカリン受容体とが関係する副交感神経の化学反応は交感神経の化学反応に比べて高速に進むため、周期が１秒程度の変動にも応答することが可能である。したがって、副交感神経は呼吸変動を伝える。
【００７２】
なお、血圧変動は、周期が１０秒程度であるため、副交感神経及び交感神経のいずれでも伝えることが可能である。
【００７３】
交感神経が抑制され、副交感神経が亢進（緊張）しているとき、副交感神経によって血圧変動及び呼吸変動の双方が心拍変動に反映される。反対に、交感神経が亢進し、副交感神経が抑制されているとき、心拍変動には、交感神経により血圧変動が反映されるが、呼吸変動が反映されない。
【００７４】
以上の理由により、呼吸変動を反映するＨＦ成分は、副交感神経が活性化（興奮）している場合にのみ心拍変動に現れる。一方、血圧変動を反映するＬＦ成分は、交感神経及び副交感神経のいずれが活性化している場合にも心拍変動に現れる。そのため、相対的にＨＦ成分が大きいときには、副交感神経が緊張傾向にあることがわかり、相対的にＬＦ成分が大きいときには、交感神経が緊張傾向にあることがわかる。例えばＬＦ成分をＨＦ成分で除算した値（ＬＦ／ＨＦ）は、交感神経の活性度を表しており、ストレスの強さの指標として扱われる。
【００７５】
特定部１１３は、解析部１１２による解析の結果に基づいて、参加者Ｕの活性度を特定する。すなわち、特定部１１３は、集会に参加する参加者の生体から得られる生体情報に基づいて解析されたその参加者の活性度を特定する。
【００７６】
参加者Ｕの活性度とは、参加者Ｕが活性化している程度を表す指標であり、参加者Ｕの集中の度合いや理解の深さ等を表している。活性度は、解析部１１２が行った心電波形の周波数解析から特定部１１３によって求められた値（例えば、上述したＬＦ成分、ＨＦ成分等）の関数として導かれる。活性度の一例として、例えば、ＬＦ成分とＨＦ成分の合計等が挙げられる。活性度は、特定部１１３が参加者ＤＢ１２１を参照することにより参加者ごとに正規化されてもよい。
【００７７】
以下の説明では活性度に、０を最小値とし１を最大値とする正規化された数値を用いる。
【００７８】
第１判定部１１４は、集会ＤＢ１２２を参照して、判定の対象とする集会に参加している複数の参加者を特定する。そして第１判定部１１４は、状態ＤＢ１２４を参照して、特定されたそれらの参加者の活性度が決められた割合で決められた条件（第１条件）を満たすか否かを判定する。
【００７９】
この決められた割合とは、例えば、全参加者のうちの７０％（パーセント）等である。また、この第１条件とは、活性度が０．６等の閾値以上である、といった条件である。すなわち、複数の参加者の活性度が決められた割合で第１条件を満たすとは、例えば、それら参加者のうちの７割について特定される活性度が０．６以上になっていることを意味する。
【００８０】
生成部１１５は、参加者の動作情報と活性度との相関を示す情報（相関情報）を生成する。図６に示す生成部１１５は、第１判定部１１４により上述した割合で第１条件を満たすと判定された参加者について、それぞれの動作情報と活性度との相関係数を算出することにより、この相関係数を含む相関情報を生成する。すなわち、この生成部１１５は、参加者の活性度が第１条件を満たすときにおける、それら参加者のそれぞれの相関情報を生成する。
【００８１】
ここで相関係数が閾値以上であって、動作情報と活性度とに相関があると認められる場合であっても、これらに因果関係があるとは断定できない。偶然に動作情報及び活性度が共通の傾向を示した場合や、共通の原因によってこれらが共通の傾向を示した場合等が考えられるからである。また、相関関係が認められ、かつ、因果関係が認められる場合であっても、その因果の方向が逆である場合も考えられる。しかし、相関が認められる場合には、例えば、参加者自身の動作によってその参加者の活性度が上昇した、といった因果関係が存在する可能性がある。
【００８２】
なお、生成部１１５は、上述した割合で第１条件を満たすと判定された参加者以外の参加者についても、動作情報と活性度との相関情報を生成してもよい。サーバ装置１が上述した割合で第１条件を満たすと判定された参加者について相関情報を生成することにより、参加者の全員について相関情報を生成する場合に比べて、計算負荷が減少する。
【００８３】
第２判定部１１６は、状態ＤＢ１２４を参照して、参加者の活性度が上述した割合で第１条件を満たすときに、それらの参加者の相関情報が決められた第２条件を満たすか否かを判定する。第２条件とは、例えば参加者の動作量と活性度との相関係数が例えば０．６等の閾値未満である、といった条件である。第２条件は、１人の参加者について算出された動作量と活性度との相関係数に関する条件であってもよいし、複数の参加者について算出されたその相関係数に関する条件であってもよい。
【００８４】
通知部１１７は、状態ＤＢ１２４に記憶されている条件を満たした場合にその条件に対応付けられている状態情報を、その条件に対応付けられている通知先ＩＤで示される通知先に通知する。この状態情報は、条件を満たしたときの集会の状態を示す情報であって、第２判定部１１６の判定結果に応じた情報を含む。また、状態情報は、条件を満たした１人又は複数の参加者を認識させるための固有情報を含んでもよい。
【００８５】
＜サーバ装置の動作＞
図７は、サーバ装置１が活性度を特定する動作の流れを示すフロー図である。サーバ装置１の制御部１１は、集計装置４から参加者の心電波形（生体情報の一例）を取得したか否か判定し（ステップＳ１０１）、取得していないと判定する間（ステップＳ１０１；ＮＯ）、この判定を続ける。参加者の心電波形を取得したと判定する場合（ステップＳ１０１；ＹＥＳ）、制御部１１は、この心電波形を解析する（ステップＳ１０２）。制御部１１は、心電波形を解析した解析結果に基づいて参加者の活性度を特定する（ステップＳ１０３）。
【００８６】
図８は、サーバ装置１が相関係数を生成する動作の流れを示すフロー図である。サーバ装置１の制御部１１は、集会ＤＢ１２２を参照して集会の参加者を特定し（ステップＳ２０１）、それらの参加者のそれぞれについて取得された動作量を取得するとともに（ステップＳ２０２）、そのときの参加者の活性度を特定する（ステップＳ２０３）。なお、ステップＳ２０２及びステップＳ２０３の順序は逆であってもよい。制御部１１は、取得した動作量と、特定した活性度との相関を示す相関情報として相関係数を生成する（ステップＳ２０４）。
【００８７】
図９は、サーバ装置１が集会の状態情報を通知する動作の流れを示すフロー図である。サーバ装置１の制御部１１は、参加者についてそれぞれ取得した動作情報及び特定した活性度を同期させ（ステップＳ３０１）、例えば集会ＤＢ１２２に登録されている集会について順次、選択すること等により、対象とする集会を特定する（ステップＳ３０２）。
【００８８】
制御部１１は、特定した集会の参加者全員について確認が済んだか否かを判定し（ステップＳ３０３）、確認が済んでいないと判定する場合（ステップＳ３０３；ＮＯ）、確認されていない参加者の活性度が第１条件を満たすか否かを判定する（ステップＳ３０４）。
【００８９】
参加者の活性度が第１条件を満たすと判定する場合（ステップＳ３０４；ＹＥＳ）、制御部１１は、その参加者を特定する（ステップＳ３０５）。参加者の活性度が第１条件を満たさないと判定する場合（ステップＳ３０４；ＮＯ）、制御部１１は、処理をステップＳ３０３に戻す。
【００９０】
上述した確認が済んでいると判定する場合（ステップＳ３０３；ＹＥＳ）、制御部１１は、ステップＳ３０５において特定された参加者の割合が閾値以上であるか否かを判定する（ステップＳ３０６）。参加者の割合が閾値以上でないと判定する場合（ステップＳ３０６；ＮＯ）、制御部１１は、処理を終了する。
【００９１】
参加者の割合が閾値以上であると判定する場合（ステップＳ３０６；ＹＥＳ）、制御部１１は、特定された参加者に対して図８に示す生成処理を実行し（ステップＳ２００）、生成された相関係数が第２条件を満たすか否かを判定する（ステップＳ３０７）。
【００９２】
なお、制御部１１は、特定された参加者以外の参加者についても、その参加者の動作量と活性度との相関係数を生成してもよい。
【００９３】
図１０は、参加者の活性度と動作量の経時変化の例を示す図である。図１０の横軸は時刻を示しており、縦軸は活性度又は動作量を示している。この例で、集会の参加者は参加者Ａ及び参加者Ｂの２人である。
【００９４】
制御部１１は、例えば、第１条件として、参加者ごとに正規化された活性度が閾値である０．６以上であるか否かを判定する。参加者Ａの活性度は期間ｔ１、ｔ２、ｔ３、ｔ４、ｔ５、ｔ６のそれぞれにおいて閾値である０．６以上となっているため、これらの各期間で第１条件を満たしていると判定される。一方、参加者Ｂの活性度は期間ｔ１、ｔ２、ｔ５、ｔ６のそれぞれにおいて０．６以上となっているが、期間ｔ３、ｔ４において０．６未満である。
【００９５】
ここで、上述した割合を１００％とすると、制御部１１は、期間ｔ１、ｔ２、ｔ５、ｔ６のときに、活性度が第１条件を満たす参加者の割合が閾値以上であると判定する。すなわち、図１０に示す集会について、図９に示す動作をする場合、制御部１１は、期間ｔ１、ｔ２、ｔ５、ｔ６のときに参加者Ａ及び参加者Ｂを特定する。そして、制御部１１は、これらの期間における参加者Ａ及び参加者Ｂのそれぞれの相関係数を生成し、生成したそれらの相関係数が第２条件を満たすか否かを判定する。
【００９６】
生成された相関係数が第２条件を満たさないと判定する場合（ステップＳ３０７；ＮＯ）、制御部１１は、処理を終了する。生成された相関係数が第２条件を満たすと判定する場合（ステップＳ３０７；ＹＥＳ）、制御部１１は、参加者間の相関係数を算出する（ステップＳ４００）。
【００９７】
このとき、制御部１１は、集会の参加者のうち２人を選択し、それらの参加者の活性度について、相関係数を算出する。参加者の選択は、例えば、その集会の参加者のうち、活性度が最低値を示す参加者と、最高値を示す参加者とを選ぶこと等である。
【００９８】
制御部１１は、集会の参加者が決められた割合で第１条件を満たし、かつ、それらの参加者のうちいずれかの参加者が第２条件を満たすときに、そのことに対応付けられる集会の状態情報を、対応付けられる通知先である端末２に通知して（ステップＳ３０８）、処理を終了する。この場合、通知される状態情報は、相関情報が第２条件を満たすときにおける、複数の参加者のうち選ばれた２人の参加者の、活性度の相関係数を含んでもよい。
【００９９】
なお、上述した条件をそれぞれ満たすことのみを集会の状態情報として通知する場合、制御部１１は、参加者間の相関係数を算出しなくてもよい。また、制御部１１は、参加者間の相関係数を算出することに代えて、又は加えて、集会の参加者の活性度の頻度分布の鋭さを示す尖度等の統計量を算出してもよい。また、参加者間の相関を示す指標として、参加者それぞれの動作量についての尖度等を算出してもよい。要するに制御部１１は、参加者間の活性度や動作量についての共通の傾向を示す指標を算出すればよい。
【０１００】
図１１は、通知される状態情報を説明するための図である。集会の参加者の活性度及び動作量が図１０に示す経時変化をするとき、上述した通り、制御部１１は、期間ｔ１、ｔ２、ｔ５、ｔ６のときに参加者Ａ及び参加者Ｂを特定し、これら各参加者について活性度及び動作量の相関係数を算出する。
【０１０１】
期間ｔ１で、活性度及び動作量の相関係数は、参加者Ａが０．７であり、参加者Ｂも０．７である。これはいずれも第２条件である「０．６未満」を満たさない。このとき、制御部１１は、決められた通知先である端末２に向けて、この期間ｔ１で参加者Ａ及び参加者Ｂがともに、起立等、決められた動作をしたため、見かけ上だけ活性度が上がったように見えている可能性を通知してもよい。またこのとき、制御部１１は、通知をしなくてもよい。
【０１０２】
期間ｔ２で、活性度及び動作量の相関係数は、参加者Ａが０．４であり、参加者Ｂが０．７である。この場合、参加者Ａの活性度は第２条件を満たすが、参加者Ｂの活性度は第２条件を満たさない。このとき、制御部１１は、決められた通知先である端末２に向けて、この期間ｔ２で参加者Ａについては、動作量と相関が低い活性度が閾値以上であるから少なくとも動作に影響されて見かけの活性度が上がっている可能性が低いが、参加者Ｂについては、動作量と相関が高い活性度が閾値以上であるから動作に影響されて見かけの活性度が上がっている可能性があることを通知してもよい。またこのとき、制御部１１は、通知をしなくてもよい。
【０１０３】
期間ｔ５で、活性度及び動作量の相関係数は、参加者Ａが０．４であり、参加者Ｂが０．２である。これはいずれも第２条件である「０．６未満」を満たす。このとき、制御部１１は、参加者Ａ及び参加者Ｂの活性度の相関係数を算出して端末２に通知する。図１１に示す参加者間の相関係数は０．６であり、この数値が相互理解の指標として集会の議長等の端末２に伝えられる。
【０１０４】
期間ｔ６でも、活性度及び動作量の相関係数は、参加者Ａが０．３であり、参加者Ｂが０．４であるから、いずれも第２条件を満たす。このときも、制御部１１は、参加者Ａ及び参加者Ｂの活性度の相関係数を算出して端末２に通知する。図１１に示す通り、期間ｔ６における参加者間の相関係数は０．７であり、この数値が相互理解の指標として集会の議長等の端末２に伝えられる。
【０１０５】
以上の動作により、集会の参加者の活性度が、その参加者の動作によって上昇したように見える場合であっても、サーバ装置１は、動作の影響を受けていないときに活性度が上昇しているケースと区別するため、集会の参加者が真に集中しているか否かを、情報処理システム９の利用者が判定する精度が向上する。また、この情報処理システム９の利用者は、動作量が少ないにも関わらず、集会の参加者のうち決められた割合以上が集中している期間を捉える。
【０１０６】
また、サーバ装置１に集会の現在の状態をリアルタイムで通知させる場合、この通知を受ける議長やファシリテーター等、集会の進行役は、通知された内容を参考にして集会の進行をする。この結果、進行役は、例えば、外見上では相互理解が進んでいるように見える集会であっても、議題を先に進めないで発言を待ったり、動作情報と活性度との相関が低いと特定された参加者に対して発言を促したりするため、集会の目的が達成し易くなる。
【０１０７】
なお、サーバ装置１は、リアルタイムの通知ではなく、過去に行われた集会の分析に用いられてもよい。この分析結果は、例えば過去の集会に参加した参加者の映像や音声と同期させて再生されてもよい。
【０１０８】
＜変形例＞
以上が実施形態の説明であるが、この実施形態の内容は以下のように変形し得る。また、以下の変形例を組合せてもよい。
【０１０９】
＜変形例１＞
上述した実施形態において、第２判定部１１６は、参加者の相関情報が決められた第２条件を満たすか否かを判定していたが、この第２条件は、複数の条件であってもよい。すなわち、第２判定部１１６は、参加者の相関情報が複数の第２条件をそれぞれ満たすか否かを判定してもよい。
【０１１０】
図１２は、変形例においてサーバ装置１が集会の状態情報を通知する動作の流れを示すフロー図である。図１２に示すステップのうち、図９と共通のステップについて説明を省く。
【０１１１】
ステップＳ３０６において、参加者の割合が閾値以上であると判定する場合（ステップＳ３０６；ＹＥＳ）、制御部１１は、特定された参加者に対して図８に示す生成処理を実行し（ステップＳ２００）、生成された相関係数が第２条件を満たすか否かを判定する（ステップＳ３１１）。
【０１１２】
この変形例において第２条件は２つに区分される。ここではステップＳ３１１において判定される第２条件を第２条件αとし、もう一方を第２条件βとする。
【０１１３】
図１２に示す第２条件αは、動作量と活性度との相関係数が閾値以上である参加者（以下「強相関の参加者」ともいう）が集会の全参加者に対して、７０％等の決められた割合以上である、といった条件である。
【０１１４】
強相関の参加者が７０％以上であると判定する場合（ステップＳ３１１；ＹＥＳ）、制御部１１は、動作の影響を受けて活性度の相関係数が高く算出されている可能性を指摘する文言等を状態情報に含める（ステップＳ３１２）。
【０１１５】
一方、強相関の参加者が７０％以上ではないと判定する場合（ステップＳ３１１；ＮＯ）、制御部１１は、相関係数が第２条件βを満たすか否かを判定する（ステップＳ３１３）。図１２に示す第２条件βは、強相関の参加者が集会の全参加者に対して３０％等の決められた割合未満である、といった条件である。
【０１１６】
強相関の参加者が３０％未満であると判定する場合（ステップＳ３１３；ＹＥＳ）、制御部１１は、この集会の状態が純粋な相互理解状態である可能性を指摘する文言等を状態情報に含める（ステップＳ３１４）。
【０１１７】
そして、制御部１１は、ステップＳ３１２又はステップＳ３１４によって生成された状態情報を決められた通知先である端末２に通知する（ステップＳ３０８）。
【０１１８】
一方、強相関の参加者が３０％未満でないと判定する場合（ステップＳ３１３；ＮＯ）、制御部１１は、ステップＳ３０８の通知をせずに処理を終了する。
【０１１９】
以上の動作により、サーバ装置１が、参加者の相関情報について複数の第２条件のそれぞれを満たすか否か判定することで、そのそれぞれの判定結果に応じた状態情報が利用者に通知される。そのため、利用者は集会の状態についてより詳しい情報を得る。
【０１２０】
＜変形例２＞
上述した実施形態又は変形例において、第２条件は予め定められていたが、参加者の過去の相関情報から算出された統計値に応じて定められてもよい。この統計値は、例えば、最大値、最小値、中間値、平均値、分散、標準偏差等が挙げられる。
【０１２１】
＜変形例３＞
また、第２条件は、参加者それぞれの過去の相関情報から算出された統計値に応じてそれら参加者ごとに定められてもよい。この場合、第２条件で相関係数等と比較される閾値は、参加者ごとにそれぞれ定まるため、活性度と動作量との相関係数に関する個人差が相殺される場合がある。
【０１２２】
＜変形例４＞
上述した実施形態において、生成部１１５は、動作情報と活性度との相関情報を生成していたが、動作情報に代えて又は加えて参加者の周囲の環境を示す環境情報と活性度との相関を示す相関情報を生成してもよい。この環境情報とは、例えば、参加者が居る会場の温度や湿度、風向きや風量、匂い、振動等、その参加者の周囲の環境から得られる情報をいう。この場合、観測装置６は、上述した環境情報を観測してもよい。
【０１２３】
なお、環境情報及び動作情報が示すそれぞれの事象は、参加者の心理状態に起因する観測事象（心因性の事象）ではなく、環境や動作等、心理状態以外の状態に起因する観測事象であるため、非心因性の事象とも定義される。
【０１２４】
＜変形例５＞
上述した実施形態において、制御部１１は、特定した集会の参加者全員について確認が済んだか否かを判定し、確認が済んでいないと判定する場合、確認されていない参加者の活性度が第１条件を満たすか否かを判定していたが、参加者の動作情報について決められた条件（第３条件）を満たすか否かを判定してもよい。
【０１２５】
第３条件は、動作情報のうち、例えば参加者の動作量について定められてもよい。この場合、動作量は、特定部１１３が参加者ＤＢ１２１を参照することにより参加者ごとに正規化されてもよい。以下の説明では、動作量には、０を最小値とし、１を最大値とする正規化された数値を用いる。
【０１２６】
図１３は、変形例においてサーバ装置１が集会の状態情報を通知する動作の流れを示すフロー図である。図１３に示すステップのうち、図９と共通のステップについて説明を省く。
【０１２７】
制御部１１は、特定した集会の参加者全員について確認が済んだか否かを判定し（ステップＳ３０３）、確認が済んでいないと判定する場合（ステップＳ３０３；ＮＯ）、確認されていない参加者の動作量が第３条件を満たすか否かを判定する（ステップＳ３２１）。第３条件とは、例えば、動作量が０．６以上であるか否か等である。
【０１２８】
この場合、プログラムを実行することにより制御部１１で実現される第１判定部１１４は、集会に参加する複数の参加者の動作情報が決められた第３条件を満たすか否かを判定する。
【０１２９】
参加者の動作量が第３条件を満たすと判定する場合（ステップＳ３０４；ＹＥＳ）、制御部１１は、その参加者を特定する（ステップＳ３０５）。参加者の動作量が第３条件を満たさないと判定する場合（ステップＳ３０４；ＮＯ）、制御部１１は、処理をステップＳ３０３に戻す。
【０１３０】
そして、ステップＳ３０６において、参加者の割合が閾値以上であると判定する場合（ステップＳ３０６；ＹＥＳ）、制御部１１は、生成された相関係数が第４条件を満たすか否かを判定する（ステップＳ３２２）。
【０１３１】
この場合、プログラムを実行することにより制御部１１で実現される第２判定部１１６は、動作情報が第３条件を満たすときに、参加者の活性度が決められた第４条件を満たすか否かを判定する。
【０１３２】
この変形例において第４条件は２つに区分される。ここではステップＳ３２２において判定される第４条件を第４条件γとし、もう一方を第４条件δとする。
【０１３３】
図１３に示す第４条件γは、活性度が閾値以上である参加者（以下「高活性度の参加者」ともいう）が集会の全参加者に対して、１００％等の決められた割合以上である、といった条件である。
【０１３４】
高活性度の参加者が１００％以上であると判定する場合（ステップＳ３２２；ＹＥＳ）、制御部１１は、この集会の状態が動作を伴う相互理解状態である可能性を指摘する文言等を状態情報に含める（ステップＳ３２３）。
【０１３５】
一方、高活性度の参加者が１００％以上ではないと判定する場合（ステップＳ３２２；ＮＯ）、制御部１１は、相関係数が第４条件δを満たすか否かを判定する（ステップＳ３２４）。図１２に示す第４条件δは、高活性度の参加者が集会の全参加者に対して６０％等の決められた割合未満である、といった条件である。
【０１３６】
高活性度の参加者が６０％未満であると判定する場合（ステップＳ３２４；ＹＥＳ）、制御部１１は、この集会の状態が見た目だけの相互理解状態である可能性を指摘する文言等を状態情報に含める（ステップＳ３２５）。
【０１３７】
そして、制御部１１は、ステップＳ３２３又はステップＳ３２５によって生成された状態情報を決められた通知先である端末２に通知する（ステップＳ３０８）。
【０１３８】
すなわち、プログラムを実行することにより制御部１１で実現される通知部１１７は、第２判定部１１６の判定結果を用いて、集会の状態を示す状態情報を通知する。
【０１３９】
一方、高活性度の参加者が６０％未満でないと判定する場合（ステップＳ３２４；ＮＯ）、制御部１１は、ステップＳ３０８の通知をせずに処理を終了する。
【０１４０】
図１４は、変形例における参加者の活性度と動作量の経時変化の例を示す図である。図１４の横軸は時刻を示しており、縦軸は活性度又は動作量を示している。この例で、集会の参加者は参加者Ａ及び参加者Ｂの２人である。
【０１４１】
制御部１１は、例えば、第３条件として、参加者ごとに正規化された動作量が閾値である０．６以上であるか否かを判定する。参加者Ａの動作量は期間ｔ１、ｔ３のそれぞれにおいて閾値である０．６以上となっているため、これらの各期間で第３条件を満たしていると判定される。参加者Ｂの動作量は期間ｔ１、ｔ２、ｔ３、ｔ４のそれぞれにおいて０．６以上となっているため、これらの各期間で第３条件を満たしていると判定される。
【０１４２】
ここで、上述した割合を１００％とすると、制御部１１は期間ｔ１、ｔ３のときに、活性度が第３条件を満たす参加者の割合が閾値以上であると判定する。すなわち、図１４に示す集会について、図１３に示す動作をする場合、制御部１１は、期間ｔ１、ｔ３のときに参加者Ａ及び参加者Ｂを特定する。そして、制御部１１は、これらの期間における参加者Ａ及び参加者Ｂのそれぞれの活性度が第４条件を満たすか否かを判定する。
【０１４３】
図１５は、通知される状態情報を説明するための図である。集会の参加者の活性度及び動作量が図１４に示す経時変化をするとき、参加者Ａ及び参加者Ｂの動作量は図１５（ａ）に示した通りとなる。そして、この場合、上述した通り、制御部１１は、期間ｔ１、ｔ３のときに参加者Ａ及び参加者Ｂを特定し、これら各参加者について活性度を閾値と比較する。
【０１４４】
図１５（ｂ）で示す通り、期間ｔ１で、活性度は、参加者Ａが０．８であり、参加者Ｂは０．７である。これは、いずれも閾値０．６以上であるため、参加者Ａ及び参加者Ｂはいずれも高活性度の参加者であり、集会における高活性度の参加者の割合は１００％である。
【０１４５】
このとき、制御部１１は、決められた通知先である端末２に向けて、この期間ｔ１で参加者Ａ及び参加者Ｂがともに、決められた水準の動作をしているが、活性度の上昇も認められるため、動作を伴う相互理解状態にある可能性を通知する。
【０１４６】
期間ｔ３で、活性度は、参加者Ａが０．８である一方、参加者Ｂが０．２である。この場合、参加者Ａの活性度は閾値０．６以上であるため、参加者Ａは高活性度の参加者であるが、参加者Ｂの活性度は閾値０．６未満であるため、参加者Ｂは高活性度の参加者ではない。つまり、集会における高活性度の参加者の割合は５０％であり、６０％未満である。
【０１４７】
このとき、制御部１１は、決められた通知先である端末２に向けて、この期間ｔ３で参加者Ｂについては、動作量が閾値以上であっても、活性度が閾値未満であるから、例えば、形だけ頷いているものの理解をしていない、といった、動作と心理とが乖離した状態の可能性があることを通知する。
【０１４８】
以上の動作により、集会の参加者のうち、上述した割合以上の参加者の動作量が閾値以上である（第３条件を満たす）とき、サーバ装置１は、参加者が高活性度であるか否か、すなわち、参加者の活性度について第４条件を満たすか否か判定することで、その比較的高い動作量が活性度の上昇を伴うものであるか否か判定される。その結果、動作量は上昇しているものの、活性度の上昇が伴っていないケースを利用者は知ることとなり、集会の状態について、情報処理システム９の利用者が判定する精度が向上する。
【０１４９】
＜変形例６＞
上述した変形例５において、制御部１１は、例えば、参加者ごとに動作量と活性度との相関係数を生成してもよい。この場合、制御部１１は、生成した相関係数が上述した第４条件を満たすか否か判定してもよい。なお、この第４条件とは、例えば、相関係数が０．６以上である強相関の参加者が決められた割合以上又は決められた割合未満である、等である。
【０１５０】
すなわち、プログラムを実行することにより制御部１１で実現される生成部１１５は、動作情報と活性度との相関を示す相関情報を生成し、制御部１１で実現される第２判定部１１６は、相関情報が第４条件を満たすか否かを判定する。
【０１５１】
＜変形例７＞
上述した実施形態において、制御部１１は、記憶部１２に記憶されているプログラムを読み出して実行することにより、取得部１１１、解析部１１２、特定部１１３、第１判定部１１４、生成部１１５、第２判定部１１６、及び通知部１１７として機能していたが、これらの機能のうちいずれかは端末２又は集計装置４で行われてもよい。
【０１５２】
例えば、集計装置４の制御部４１は、測定装置５から生体情報を取得する場合、上述した取得部１１１に相当する機能を実現する。
【０１５３】
また、集計装置４の制御部４１は、取得した生体情報に基づいて参加者の活性度を特定するための解析をしてもよい。すなわち、制御部４１は、上述した解析部１１２に相当する機能を実現してもよい。この場合、制御部４１は、解析された結果を示す情報をサーバ装置１に送信し、サーバ装置１の制御部１１は、送信された情報に基づいて参加者の活性度を特定すればよい。
【０１５４】
なお、この情報処理システム９において、端末２は集計装置４の機能を兼ねてもよい。また、上述した実施形態において、通信回線３は複数の会場を繋いでいたが、情報処理システム９は、１つの会場で開催される集会に適用されてもよい。この場合、サーバ装置１は、端末２及び集計装置４の機能を兼ねてもよく、さらに通信回線３はなくてもよい。
【０１５５】
＜変形例８＞
上述した実施形態において、通知部１１７は、集会の状態情報を端末２に送信していたが、これに加えて、又はこれに代えて、特定された参加者の情報を取得する際の制御信号を集計装置４に送信してもよい。
【０１５６】
例えば、通知部１１７は、参加者の活性度や動作量、又はそれらの相関係数に応じて、その参加者を撮像する光学系の焦点距離を調整する制御信号を集計装置４に送信してもよい。この場合、集計装置４は、送信された制御信号を図示しない撮像装置に送り、撮像装置はこの制御信号に応じた調整を行う。
【０１５７】
また、通知部１１７は、参加者の活性度や動作量、又はそれらの相関係数に応じて、その参加者の音声を収集する指向性を調整する制御信号を集計装置４に送信してもよい。この場合、集計装置４は、送信された制御信号を図示しない収音装置に送り、収音装置はこの制御信号に応じた調整を行う。
【０１５８】
＜変形例９＞
サーバ装置１の制御部１１によって実行されるプログラムは、磁気テープ及び磁気ディスク等の磁気記録媒体、光ディスク等の光記録媒体、光磁気記録媒体、半導体メモリ等の、コンピュータ装置が読取り可能な記録媒体に記憶された状態で提供し得る。また、このプログラムを、インターネット等の通信回線経由でダウンロードさせてもよい。なお、上述した制御部１１によって例示した制御手段としてはＣＰＵ以外にも種々の装置が適用される場合があり、例えば、専用のプロセッサ等が用いられる。
【符号の説明】
【０１５９】
１…サーバ装置、１１…制御部、１１１…取得部、１１２…解析部、１１３…特定部、１１４…第１判定部、１１５…生成部、１１６…第２判定部、１１７…通知部、１２…記憶部、１２１…参加者ＤＢ、１２２…集会ＤＢ、１２２１…集会リスト、１２２２…会場リスト、１２３…履歴ＤＢ、１２３１…参加者リスト、１２３２…履歴リスト、１２４…状態ＤＢ、１３…通信部、２…端末、２１…制御部、２２…記憶部、２３…通信部、２４…表示部、２５…操作部、２６…出力部、３…通信回線、４…集計装置、４１…制御部、４２…記憶部、４３…通信部、４４…表示部、４５…操作部、４６…接続部、５…測定装置、６…観測装置、９…情報処理システム。
【図１】
2019101872.tif 000003
【図２】
2019101872.tif 000004
【図３】
2019101872.tif 000005
【図４】
2019101872.tif 000006
【図５】
2019101872.tif 000007
【図６】
2019101872.tif 000008
【図７】
2019101872.tif 000009
【図８】
2019101872.tif 000010
【図９】
2019101872.tif 000011
【図１０】
2019101872.tif 000012
【図１１】
2019101872.tif 000013
【図１２】
2019101872.tif 000014
【図１３】
2019101872.tif 000015
【図１４】
2019101872.tif 000016
【図１５】
2019101872.tif 000017